(57)【特許請求の範囲】
【請求項１】
板状の硬質合成樹脂発泡体の両面に空洞含有のポリエステル系シートが積層されてなる断熱ボードの四周辺に、断面コ字形状のフレームを前記断熱ボードを挟み込むように取り付けた自動販売機用断熱パネルであって、
該シートには無機粒子が入っており、かつ該シートの空洞含有率は１０〜５０体積％であり、該フレームは、合成樹脂製で弾性を有するものであることを特徴とする自動販売機用断熱パネル。
【発明の詳細な説明】
【０００１】
【発明の属する技術分野】
本発明は軟質面材として空洞含有のポリエステル系シートを使用した断熱ボードの四周辺に、断面コ字形状のフレームを前記断熱ボードを挟み込むように取り付けた自動販売機用断熱パネルに関する。
【０００２】
【従来技術】
硬質合成樹脂発泡体は優れた断熱性能を有していることから、種々の断熱材料として使用されている。硬質合成樹脂発泡体としては、硬質ポリウレタンフォーム、ウレタン変性ポリイソシアヌレートフォーム、フェノールフォーム、押出ポリスチレンフォーム、ビーズ法ポリスチレンフォーム、ポリエチレンフォーム等があるが、これらの発泡体は外部からの衝撃で破損し易いことあるいは構造材等として使用するために、その表面に可撓性のある面材（軟質面材）あるいは合板、石膏ボード等の硬質面材が積層されることがある。ここで軟質面材は、防水面からポリエチレン、ポリプロピレン、ポリエステルシートが採用され、発泡体の光劣化を防ぐ目的でこれらのシートに光を通過させない炭カル紙、水酸化アルミニウム紙、ガラス不織布、クラフト紙等のシートがラミネートされる。しかし、異種のシートをラミネートすることはそれ自体高価であるばかりか面材自体の品質がばらつき、その結果、このような面材を使用することで、得られる断熱ボードの表面に、波うち現象が発生し製品価値を下げるという問題がある。
【０００３】
また、従来の自動販売機用断熱パネル、例えば、自動販売機の内扉に使用される断熱パネルは、金属板で薄板様の箱体（以下、金属板製薄箱体）を製作し、この金属板製薄箱体の内部に硬質ポリウレタンフォーム原液を注入し、前記箱体内部で前記原液の反応・発泡を完了させて製造していた。
【０００４】
このように、従来の自動販売機用断熱パネルの製造方法は、金属板製薄箱体の１つ１つに前記原液を注入するバッチ方式であるため、生産性が悪く、必ずしも量産に適した方法とは言えない。また、自動販売機の種類や大きさなどを変更する場合には、金属板製薄箱体の規格変更が必要であり、この規格変更は極めて困難である。更に、上記の断熱パネルは、金属板を使用しているため、重量が大きく、取り扱い性に劣り、自動販売機の組み立て作業を困難にするなどの問題もある。
【０００５】
一方、上記の断熱パネルは、金属板製薄箱体の内部で反応・発泡を完了した硬質ポリウレタンフォームが、前記箱体の壁面を構成している金属板と一体化しているため、リサイクルに際しての金属板と硬質発泡ウレタンとの剥離は、技術的に困難である。このため、上記の断熱パネルは、使用済み後、金属板と硬質ポリウレタンフォームとを剥離することなく、埋め立て処分せざるを得ない状況下にある。しかし、埋め立て場所は、現在、極めて不足している。そこで、この種分野において、リサイクル可能な断熱パネルの開発が切望されている。
【０００６】
【発明が解決しようとする課題】
本発明は、優れた剛性を有する断熱ボード、および金属板を使用しないにも拘らず金属板使用の自動販売機用断熱パネルと実質上同等の性能を有すると共にかつリサイクルが容易な自動販売機用断熱パネルを提供することを目的とする。
【０００７】
【課題を解決するための手段】
本発明者らは、上記目的を達成するために種々検討を重ねる途上で、断熱ボードにあっては、透明なポリエステル系シートに細かな空気を含有したものであれば光の散乱によって光の透過を抑えることができるとの知見を得、また、自動販売機用パネルにあっては、金属板に代えて特定構成の面材を使用したところ、優れた剛性を有するばかりか、生産性が高く、しかもリサイクルに際して、従来の断熱パネルのように金属板を使用していないため、そのまま燃料として使用することができるし、あるいは粉砕しバインダーを混合して圧縮成形すれば建材等の用途に再び活用することができるなどの知見を得た。
【０００８】
本発明の自動販売機用断熱パネルは、これらの知見に基づくもので、板状の硬質合成樹脂発泡体の両面に空洞含有のポリエステル系シートが積層されてなる断熱ボードの四周辺に、断面コ字形状のフレームを前記断熱ボードを挟み込むように取り付けた自動販売機用断熱パネルであって、該シートには無機粒子が入っており、かつ該シートの空洞含有率は１０〜５０体積％であり、該フレームは、合成樹脂製で弾性を有するものであることを特徴とする自動販売機用断熱パネル。
【０００９】
本発明に使用する硬質合成樹脂発泡体は、硬質ポリウレタンフォーム、ウレタン変性ポリイソシアヌレートフォーム、フェノールフォーム、押出ポリスチレンフォーム、ビーズ法ポリスチレンフォーム、ポリエチレンフォーム等が使用できる。中でも硬質ポリウレタンフォーム、ウレタン変性ポリイソシアヌレートフォーム、フェノールフォームを使用するものは、例えばこれらのフォームを生成する原料を空洞含有ポリエステル系シート上に注液し、原料がほぼ発泡が完了する時点で別の空洞含有ポリエステル系シートを積層することによってフォームの自己接着性により空洞含有ポリエステル系シートが一体成型され、両面面材付き断熱ボードが得られる。そして、中でも、発泡体密度が３０〜５０ｋｇ／ｍ3程度の硬質ポリウレタンフォーム、ウレタン変性ポリイソシアヌレートフォームが、より優れた圧縮強さや空洞含有ポリエステル系シートとの接着性を有するため好ましい。また、これらの硬質ポリウレタンフォームや、ウレタン変性ポリイソシアヌレートフォームは、熱伝導率が小さいため、本発明における板状硬質合成樹脂発泡体の厚さ、延いては断熱ボードの厚さを薄くすることができる。
【００１０】
本発明に使用する空洞含有ポリエステル系シート（以下、単にシートと言う場合がある）は、内部に微細な空洞を多数含有するシートあり、その空洞により光線透過率を低くしたものである。尚本発明においてポリエステルを用いるのは、空洞含有ポリエステル系シートの耐熱性や機械的強度を満足させるためである。空洞含有のポリエステル系シートは、たとえばポリエチレンテレフタレート、ポリブチレンテレフタレート等のポリエステルに、空洞発現剤としてポリエステルに非相溶性のポリスチレン系樹脂、ポリオレフィン系樹脂等を混合し、押出機等で溶融押出して固化し、ロール延伸機で縦延伸を行い引き続きテンターで横延伸を行う等して得られる。さらに光線透過率を低くする目的で、上記シートに２酸化チタン、炭酸カルシウム、硫酸バリウム等の無機粒子を入れることもできる。
【００１１】
空洞含有のポリエステル系シートは、空洞の存在によりシートは適度な弾性（柔らかさ）をもち、その結果、本発明の断熱ボードは、外部からの衝撃を吸収する能力を有するとともに、優れた剛性を有するものとなる。さらに、前記シートは空洞を有するために、有しないものと比較して熱伝導率が低い。面材を積層した断熱ボードは、厚さ方向は熱伝導率の低い発泡体によって断熱性が確保されるが、面材の表面を伝わって熱が逃げることがある。本発明の断熱ボードは、表面を伝わる熱の断熱性においても優れている。
【００１２】
本発明に使用される前記シートは、シートの厚さにより適切な空洞含有率は異なるが、使用できる範囲の空洞含有率は１０〜５０体積％程度である。１０体積％未満であると、弾性が低下するばかりでなく、光線透過率が高くなり発泡体の光劣化の点でシートに空洞を含有する意味が薄れる。５０体積％超であると、弾性や光線透過率は良好になるものの、シートの機械的強度が低下してその結果断熱ボードの剛性が不足する傾向にある。
【００１３】
また、前記シートは、空洞含有率により適切なシート厚さは異なるが、使用できる範囲のシート厚さは５０〜３００μｍ、好ましくは７５〜２００μｍである。５０μｍ未満であると、衝撃から発泡体を保護することが難しく、３００μｍ超では、シートの単価が上昇し不経済である。なお、前記シートの少なくとも硬質合成樹脂発泡体との積層面は、コロナ放電等の表面処理をして、シートと硬質合成樹脂発泡体との接着強度が上がるようにすることが好ましい。
【００１４】
本発明に使用する断熱ボードは、板状の硬質合成樹脂発泡体の両面に空洞含有のポリエステル系シートを積層したものであっても、片面に積層したものであってもよい。片面のみ積層する場合は、発泡体の別片面は他の面材を積層しても良いし、積層しなくてもよい。というのは、この種の断熱ボードは積み重ねて保管、運搬されるので発泡体の光劣化を防ぐ為ならば、片面のみであっても効果がある。また施工時断熱ボード上に、人が載ったり物を落下させたりするのことがあるが、少なくともその面に空洞含有のポリエステル系シートが積層されていれば、その衝撃から断熱ボードを保護することができる。
【００１５】
また、本発明の自動販売機用断熱パネルは、両面に空洞含有のポリエステル系シートを積層した板状硬質合成樹脂発泡体の四周辺、すなわち発泡体が露出している四周の縁部に、フレームを取り付けて、前記縁部の補強を図ると共に、本発明の断熱パネルの剛性や強度を高める。このフレームの形状や取り付け態様は、接着剤を使用せずに、ビスなどで機械的に固定する態様であってもよいし、合成樹脂製の弾性を有する材料製の断面コ字形のフレームは、前記弾性により板状硬質合成樹脂発泡体と面材とを挟持させて取り付ける態様であてもよい。
【００１６】
以上の構成を有する本発明の自動販売機用断熱パネルは、自動販売機内の例えば内扉に使用することができるが、その他の適宜箇所においても好適に使用することができる。例えば、冷温兼用の自動販売機における低温部分（０〜１０℃程度）と、高温部分（６０〜８０℃程度）とを仕切る断熱パネルとしても使用することができる。本発明の断熱パネルを自動販売機へ取り付ける際の態様は、特に制限しないが、本発明の断熱パネルの四周辺に取り付けたフレーム部分を利用して、自動販売機本体の適宜の構成部材と、ビスなどにより固定すればよい。また、自動販売機の内扉に取り付ける場合は、上記フレームと内扉とを蝶番により固定し、開閉できるようにすればよい。
【００１７】
【実施例】
（実施例１）
まず、本発明の断熱ボードの一例を図１示す。
図中、１は本発明の断熱ボードであり、厚さ２５ｍｍの板状の硬質ポリウレタンフォーム２の両面に、空洞含有のポリエステル系シート（東洋紡績社製クリスパーＫ２３２３−１８８μｍ）３、３’が一体成型されたものである。
一体成型の方法は、通常の断熱ボードの製造法を採用することができ、本実施例では、一方の前記シート３’の上面に硬質ポリウレタンフォーム生成用の発泡ポリウレタン組成物をエアレススプレーし、前記組成物の発泡がほぼ完了時点でもう一方の前記シート３を積層し、上下に配置した２つのコンベア間を通過させラミネートさせ、適当な巾、長さで裁断することにより本発明の断熱ボード１を得た。
【００１８】
次に、本発明の自動販売機用断熱パネルの一例を図２に示す。図中、１０は本発明の自動販売機用断熱パネルであり、得られた断熱ボード１の四周辺に断面コ字形状のフレーム４を前記断熱ボードを挟み込むように取り付けたものである。本実施例では合成樹脂製の断面コ字形状のフレームを使用し、フレーム４の弾性を利用して、前記断熱ボードを挟持させて取り付け、本発明の断熱パネル１０を得た。また、本発明の断熱パネル１０のフレーム４を除く重量は、約１．８ｇ／ｍ2であり、金属板を使用する従来の断熱パネルの重量（約７．４ｇ／ｍ2）に比して、極めて軽量であることが判る。さらに、本発明の断熱パネル１０は、フレーム４を取り外せば、粉砕可能であり、粉砕片は、バインダーと混合し圧縮成形することで、断熱材、板状体、あるいは各種の成形品として再利用することができる。
【００１９】
【発明の効果】
以上詳しく説明したように、本発明の自動販売機用断熱パネルにおける断熱ボードは、板状の硬質合成樹脂発泡体の両面に微細な空洞を多数含有したポリエステル系シートが積層されてなるので、生産性が高く、防水性があり、発泡体の硬質合成樹脂発泡体の光劣化を防ぎ、外部からの衝撃に強く、断熱性に優れたものである。
また、本発明の自動販売機用断熱パネルは、板状の硬質合成樹脂発泡体の両面に空洞含有のポリエステル系シートが積層されてなる断熱ボードの四周辺にフレームを取り付けてなるので、空洞含有のポリエステル系シートとフレームとの相乗作用より、金属板を使用しないにも拘らず、従来の金属板使用の断熱パネルと実質上同等の剛性を有する。また、金属板を使用しないため、重量を大幅に減じることができる。さらにフレームの取り外しが簡単であるため、優れたリサイクル性を有している。さらにまた、板状硬質合成樹脂発泡体、面材、およびフレームを、それぞれ別々に量産し、これらを組み立てることで、あるいは該発泡体の作成と面材との貼着を長尺状態で同時に行い、所定寸法に裁断し、量産したフレームと組み立てることで、製造することができるため、従来の断熱パネルの製造に比して、極めて高い生産性を得ることができる。
【図面の簡単な説明】
【図１】  本発明の断熱ボードの一例の断面の説明図。
【図２】  本発明の自動販売機用断熱パネルの一例の断面の説明図。
【符号の説明】
１       本発明の断熱ボード
２       硬質ポリウレタンフォーム
３，３′ 空洞含有ポリエステル系シート
４       フレーム
１０     本発明の自動販売機用断熱パネル
【図１】
0004155488.tif 000002
【図２】
0004155488.tif 000003